(57)【要約】【課題】容器本体をスクイズした際の内容液の飛散を防止することができるとともに、内容液を注出した際に内容液が計量キャップ内に残留し難い構成としたスクイズ計量容器を提供する。【解決手段】外層体１０ａと内層体１０ｂとを有する容器本体１０と、計量キャップ２０とを備えるスクイズ計量容器１であって、計量キャップ２０は、計量周壁２２ａにヒンジ２２ｄを介して連結される蓋部２２ｅと、計量室Ｍの底部２３ａから立設し、上端に飛散抑制部２３ｃが設けられた導入筒部２３ｂと、内容液の流路を開閉する第１逆止弁部２４ｂと、空気の流路を開閉する第２逆止弁部２４ｃと、を有し、計量室Ｍに収容された内容液の液面が視認できるように計量周壁２２ａの少なくとも一部が透明または半透明に構成されており、導入筒部２３ｂの側面に、後方開口２３ｊと、前方開口２３ｉとが形成されている。【選択図】図１
2020147370.tif 000002
【特許請求の範囲】
【請求項１】
内容液を収容する容器本体と、該容器本体の口部に装着される計量キャップとを備え、前記容器本体の胴部をスクイズして前記内容液を前記計量キャップの計量室に導入することで前記内容液を計量し、計量した内容液を注出口から注出可能に構成されたスクイズ計量容器であって、
前記容器本体は、
外気導入孔が形成された前記口部及び可撓性を有する前記胴部を有する外層体と、
前記外層体の内側に剥離可能に積層配置され、内容液の収容空間を構成する減容変形可能な内層体とを有し、
前記計量キャップは、
前記口部の外周側で該口部に係合する装着筒部と、
前記装着筒部の内周面から径方向内側に延在して前記口部の開口を覆うとともに、前記収容空間に連通する連通孔を有する隔壁と、
前記装着筒部の上方に設けられる計量周壁と、
前記隔壁の上方に位置し、前記計量周壁とともに前記計量室を区画形成する底部と、
前記計量周壁にヒンジを介して連結され、前記計量室の上部に設けられた前記注出口を開閉可能な蓋部と、
前記底部から立設する導入筒部と、
前記導入筒部の上端に位置する飛散抑制部と、
前記底部と前記隔壁の間に配置され、前記連通孔から前記導入筒部への内容液の流路を開閉する第１逆止弁部と、
前記底部と前記隔壁の間に配置され、前記底部に設けられた吸気孔から前記外気導入孔への空気の流路を開閉する第２逆止弁部と、を有し、
前記計量室に収容された内容液の液面が視認できるように、前記計量周壁の少なくとも一部が透明または半透明に構成されており、
前記導入筒部の側面には、前記ヒンジ側に位置する後方開口と、前記ヒンジの逆側に位置する前方開口とが形成されていることを特徴とするスクイズ計量容器。
【請求項２】
前記前方開口は、前記導入筒部の上端まで延在している、請求項１に記載のスクイズ計量容器。
【請求項３】
前記計量周壁には、前記計量室に収容された内容液の量を示す目盛が設けられている、請求項１又は２に記載のスクイズ計量容器。
【請求項４】
前記導入筒部の内径と前記第１逆止弁部から前記導入筒部の上端までの高さとの比率（内径／高さ）が０．２以上、０．５以下である、請求項１〜３の何れか一項に記載のスクイズ計量容器。
【請求項５】
前記前方開口の開口幅と前記導入筒部の内径との比率（開口幅／内径）が、０．４以上、０．８以下である、請求項１〜４の何れか一項に記載のスクイズ計量容器。
【請求項６】
前記注出口における少なくとも前記ヒンジの逆側には、径方向外側に向けて延在する先細り状のリップ部が設けられている、請求項１〜５の何れか一項に記載のスクイズ計量容器。
【請求項７】
前記注出口における前記ヒンジの逆側に、径方向外側に向けて延在する先細り状のリップ部が設けられており、該リップ部が前記計量室の上端よりも高い位置に設けられている、請求項１〜６の何れか一項に記載のスクイズ計量容器。
【請求項８】
内容液を収容する容器本体と、該容器本体の口部に装着される計量キャップとを備え、前記容器本体の胴部をスクイズして前記内容液を前記計量キャップの計量室に導入することで前記内容液を計量し、計量した内容液を注出口から注出可能に構成されたスクイズ計量容器であって、
前記容器本体は、
外気導入孔が形成された前記口部及び可撓性を有する前記胴部を有する外層体と、
前記外層体の内側に剥離可能に積層配置され、内容液の収容空間を構成する減容変形可能な内層体とを有し、
前記計量キャップは、
前記口部の外周側で該口部に係合する装着筒部と、
前記装着筒部の内周面から径方向内側に延在して前記口部の開口を覆うとともに、前記収容空間に連通する連通孔を有する隔壁と、
前記装着筒部の上方に設けられる計量周壁と、
前記隔壁の上方に位置し、前記計量周壁とともに前記計量室を区画形成する底部と、
前記装着筒部の上方に連なり、前記計量周壁の外周側に位置する嵌合筒部にヒンジを介して連結され、前記注出口を開閉可能な蓋部と、
前記底部から立設する導入筒部と、
前記導入筒部の上端に位置する飛散抑制部と、
前記底部と前記隔壁の間に配置され、前記連通孔から前記導入筒部への内容液の流路を開閉する第１逆止弁部と、
前記底部と前記隔壁の間に配置され、前記底部に設けられた吸気孔から前記外気導入孔への空気の流路を開閉する第２逆止弁部と、を有し、
前記計量室に収容された内容液の液面が視認できるように、前記計量周壁の少なくとも一部が透明または半透明に構成されており、
前記導入筒部の側面には、前記ヒンジ側に位置する後方開口と、前記ヒンジの逆側に位置する前方開口とが形成されており、
前記蓋部及び前記嵌合筒部は不透明であり、前記計量周壁における透明または半透明な部分を外側から覆うように構成されていることを特徴とするスクイズ計量容器。
【請求項９】
前記蓋部の閉塞状態において、前記蓋部及び前記嵌合筒部が部分的に重なるように構成されている、請求項８に記載のスクイズ計量容器。
【発明の詳細な説明】
【技術分野】
【０００１】
本発明は、容器本体の口部に装着された計量キャップを備え、容器本体をスクイズして内容液を計量キャップの計量室に導入することで、内容液を計量し、計量室から注出可能なスクイズ計量容器に関するものである。
【背景技術】
【０００２】
従来、容器内に収容した液体を簡便に計量するために、スクイズ性を有する容器本体の上部に、収容した液体を一時的に収容して計量するための計量室を有する計量キャップが装着された容器が知られている。このような容器にあっては、容器本体の胴部をスクイズすることにより収容空間内の内容液を計量室に送り出して計量した後、容器を注出方向に傾けることで計量した内容液のみを注出口から注出することができる。
【０００３】
より具体的に、特許文献１には、内容液の充填空間を有する減容変形可能な内層体と、内層体を内側に納めるとともに当該内層体との相互間に空気を導入する外気導入孔を有する外層体と、外層体の口部を覆うとともに充填空間につながる連通口を有する隔壁と、連通口を開閉する逆止弁と、口部の上部に設けられ、連通口から注出させた内容液を収容するとともに上方に注出口を有する計量室と、を備える容器が開示されている。このような容器によれば、内容液を計量室で計量してから注出することができる。また、外層体の内側に、内容液の注出に伴い減容変形する内層体を設けるとともに、逆止弁で内層体への空気の進入を抑制することにより、空気との接触による内容液の品質劣化を防止することができる。
【０００４】
また、特許文献２には、外層体と内層体を有する容器本体と、容器本体の口部に取り付けられた計量キャップとを備え、計量キャップは、口部の外周面に嵌合する装着筒部と、装着筒部の内方に突設されたフランジ部と、フランジ部より垂設され、外層体の口部を封止する導液管と、装着筒部の上方に連設された計量筒部と、計量筒部の下部より内方に突設された底部と、底部に立設された、導液管と連通する注出管と、計量筒部の上部に嵌合した、少なくとも１つの液体吐出口を有する蓋部と、導液管又は注出管内に配設された第１の逆止弁と、通気孔を外気と連通するための吸気孔とを備える容器が開示されている。
【０００５】
また、特許文献３には、容器本体の口部に取り付けられ、底部と本体側壁部とを備える計量室を備える計量キャップであって、底部から計量室の内部に突出して設けられ、容器本体と計量室とを連通する略筒状のノズルを有し、ノズルは、計量室側の先端上部が液抑え部により閉塞され、液抑え部の下方側部に少なくとも１つの吐出口が形成され、吐出口の最大開口幅が最大開口高さよりも大きいことを特徴とする計量キャップが開示されている。
【先行技術文献】
【特許文献】
【０００６】
【特許文献１】特開２０１６−８８５４８号公報
【特許文献２】特開２０１１−３１９３２号公報
【特許文献３】特開２０１７−７４９５８号公報
【発明の概要】
【発明が解決しようとする課題】
【０００７】
しかしながら、特許文献１の容器にあっては、胴部のスクイズにより連通口を通過した内容液が注出口側に飛散することを抑制するための構成が設けられていないため、内容液の注出口からの飛散を防止するためには、容器本体をスクイズする力を適度に調整する必要がある。
【０００８】
また、特許文献２の容器においては、蓋部の頂部下面から垂下する円筒状の飛散防止部が、注出管の開口端の外周を取り囲むように設けられているため、内容液の飛散を防止できるものの、内容液を注出するために容器を傾けた際に、円筒状の飛散防止部に内容液が残留する虞がある。
【０００９】
また、特許文献３の計量キャップにおいても、ノズルの先端に液抑え部があるため内容液の飛散を防止できるものの、ノズルの左右両側面に吐出口が形成されているため、内容液を注出するために容器を注出方向（前方）に傾けた際に、ノズルの内部に内容液が残留する虞がある。
【００１０】
それゆえ本発明は、容器本体をスクイズした際の内容液の飛散を防止することができるとともに、内容液を注出した際に内容液が計量キャップ内に残留し難い構成としたスクイズ計量容器を提供することを目的とする。
【課題を解決するための手段】
【００１１】
本発明は、上記課題を解決するためになされたものであり、本発明のスクイズ計量容器は、内容液を収容する容器本体と、該容器本体の口部に装着される計量キャップとを備え、前記容器本体の胴部をスクイズして前記内容液を前記計量キャップの計量室に導入することで前記内容液を計量し、計量した内容液を注出口から注出可能に構成されたスクイズ計量容器であって、
前記容器本体は、
外気導入孔が形成された前記口部及び可撓性を有する前記胴部を有する外層体と、
前記外層体の内側に剥離可能に積層配置され、内容液の収容空間を構成する減容変形可能な内層体とを有し、
前記計量キャップは、
前記口部の外周側で該口部に係合する装着筒部と、
前記装着筒部の内周面から径方向内側に延在して前記口部の開口を覆うとともに、前記収容空間に連通する連通孔を有する隔壁と、
前記装着筒部の上方に設けられる計量周壁と、
前記隔壁の上方に位置し、前記計量周壁とともに前記計量室を区画形成する底部と、
前記計量周壁にヒンジを介して連結され、前記計量室の上部に設けられた前記注出口を開閉可能な蓋部と、
前記底部から立設する導入筒部と、
前記導入筒部の上端に位置する飛散抑制部と、
前記底部と前記隔壁の間に配置され、前記連通孔から前記導入筒部への内容液の流路を開閉する第１逆止弁部と、
前記底部と前記隔壁の間に配置され、前記底部に設けられた吸気孔から前記外気導入孔への空気の流路を開閉する第２逆止弁部と、を有し、
前記計量室に収容された内容液の液面が視認できるように、前記計量周壁の少なくとも一部が透明または半透明に構成されており、
前記導入筒部の側面には、前記ヒンジ側に位置する後方開口と、前記ヒンジの逆側に位置する前方開口とが形成されていることを特徴とするものである。
【００１２】
なお、本発明のスクイズ計量容器は、前記前方開口は、前記導入筒部の上端まで延在していることが好ましい。
【００１３】
また、本発明のスクイズ計量容器は、前記計量周壁には、前記計量室に収容された内容液の量を示す目盛が設けられていることが好ましい。
【００１４】
また、本発明のスクイズ計量容器は、前記導入筒部の内径と前記第１逆止弁部から前記導入筒部の上端までの高さとの比率（内径／高さ）が０．２以上、０．５以下であることが好ましい。
【００１５】
また、本発明のスクイズ計量容器は、前記前方開口の開口幅と前記導入筒部の内径との比率（開口幅／内径）が、０．４以上、０．８以下であることが好ましい。
【００１６】
また、本発明のスクイズ計量容器は、前記注出口における少なくとも前記ヒンジの逆側には、径方向外側に向けて延在する先細り状のリップ部が設けられていることが好ましい。
【００１７】
また、本発明のスクイズ計量容器は、前記注出口における前記ヒンジの逆側に、径方向外側に向けて延在する先細り状のリップ部が設けられており、該リップ部が前記計量室の上端よりも高い位置に設けられていることが好ましい。
【００１８】
また、本発明のスクイズ計量容器の他の態様は、内容液を収容する容器本体と、該容器本体の口部に装着される計量キャップとを備え、前記容器本体の胴部をスクイズして前記内容液を前記計量キャップの計量室に導入することで前記内容液を計量し、計量した内容液を注出口から注出可能に構成されたスクイズ計量容器であって、
前記容器本体は、
外気導入孔が形成された前記口部及び可撓性を有する前記胴部を有する外層体と、
前記外層体の内側に剥離可能に積層配置され、内容液の収容空間を構成する減容変形可能な内層体とを有し、
前記計量キャップは、
前記口部の外周側で該口部に係合する装着筒部と、
前記装着筒部の内周面から径方向内側に延在して前記口部の開口を覆うとともに、前記収容空間に連通する連通孔を有する隔壁と、
前記装着筒部の上方に設けられる計量周壁と、
前記隔壁の上方に位置し、前記計量周壁とともに前記計量室を区画形成する底部と、
前記装着筒部の上方に連なり、前記計量周壁の外周側に位置する嵌合筒部にヒンジを介して連結され、前記注出口を開閉可能な蓋部と、
前記底部から立設する導入筒部と、
前記導入筒部の上端に位置する飛散抑制部と、
前記底部と前記隔壁の間に配置され、前記連通孔から前記導入筒部への内容液の流路を開閉する第１逆止弁部と、
前記底部と前記隔壁の間に配置され、前記底部に設けられた吸気孔から前記外気導入孔への空気の流路を開閉する第２逆止弁部と、を有し、
前記計量室に収容された内容液の液面が視認できるように、前記計量周壁の少なくとも一部が透明または半透明に構成されており、
前記導入筒部の側面には、前記ヒンジ側に位置する後方開口と、前記ヒンジの逆側に位置する前方開口とが形成されており、
前記蓋部及び前記嵌合筒部は不透明であり、前記計量周壁における透明または半透明な部分を外側から覆うように構成されていることを特徴とする。
【００１９】
なお、本発明のスクイズ計量容器は、前記蓋部の閉塞状態において、前記蓋部及び前記嵌合筒部が部分的に重なるように構成されていることが好ましい。
【発明の効果】
【００２０】
本発明によれば、容器本体をスクイズした際の内容液の飛散を防止することができるとともに、内容液を注出した際に内容液が計量キャップ内に残留し難い構成としたスクイズ計量容器を提供することができる。
【図面の簡単な説明】
【００２１】
【図１】本発明の一実施形態であるスクイズ計量容器の一部を、側面視で示す断面図である。
【図２】図１のスクイズ計量容器における上側部材を単独で示す平面図である。
【図３】図１のスクイズ計量容器における中間部材を単独で示す底面図である。
【図４】図１におけるＡ−Ａ断面を示す図である。
【図５】本発明の他の実施形態であるスクイズ計量容器の一部を、側面視で示す断面図である。
【図６】本発明の他の実施形態であるスクイズ計量容器の一部を、側面視で示す断面図である。
【図７】図６のスクイズ計量容器の側面図である。
【発明を実施するための形態】
【００２２】
以下、図１〜図３を参照して、本発明の一実施形態に係るスクイズ計量容器１について詳細に例示説明する。なお、本明細書において、上下方向とは、図１に示すスクイズ計量容器１の正立姿勢を基準とし、上方とは収容空間Ｓに対して計量室Ｍが位置する側（すなわち、図１における上方）を意味し、下方とは計量室Ｍに対して収容空間Ｓが位置する側（すなわち、図１における下方）を意味するものとする。
【００２３】
図１に示すように、本実施形態に係るスクイズ計量容器１（以下、容器１とも称する。）は、内容液の収容空間Ｓを有する容器本体１０と、容器本体１０の口部１１に装着されると共に計量室Ｍが形成された計量キャップ２０とを備えている。容器１は、容器本体１０の胴部１２をスクイズして内容液を計量キャップ２０の計量室Ｍに導入することで内容液を計量し、計量した内容液を注出口Ａから注出可能に構成されている。なお、内容液としては、例えば、液体洗剤、食用油等とすることができるが、その他の液体を内溶液としてもよい。
【００２４】
容器本体１０は、円筒状の口部１１、口部１１の下方に連なる胴部１２及び底部（図示省略）を有し、胴部１２は可撓性を有し、スクイズ（圧搾）可能に構成されている。
【００２５】
容器本体１０は、容器本体１０の外殻を形成する外層体１０ａと、外層体１０ａの内側に配置された減容変形可能な内層体１０ｂとを有し、内層体１０ｂの内部が収容空間Ｓとなっている。より具体的に、容器本体１０は、外層体１０ａの内面に内層体１０ｂを剥離可能に積層配置した積層剥離容器（デラミ容器）である。
【００２６】
なお、外層体１０ａと内層体１０ｂとの間に、口部１１から底部まで延びる細長い帯状の接着層（接着帯）を設けて、当該接着帯の部分で外層体１０ａと内層体１０ｂとを互いに接着した構成とすることもできる。
【００２７】
口部１１には、外層体１０ａのみを貫通する外気導入孔１３が形成されている。本例では、一対の外気導入孔１３が、軸線Ｏ（容器本体１０の中心軸線）を挟んで対向する周方向位置に設けられている。また、口部１１の外周面には、計量キャップ２０の係合凹部２１ｈに係合する係合凸部１４が設けられている。係合凸部１４は、外気導入孔１３とは異なる周方向位置に設けられている。
【００２８】
本例の計量キャップ２０は、下側部材２１、上側部材２２、中間部材２３、及び逆止弁２４で構成されている。
【００２９】
下側部材２１は、口部１１の外周側で口部１１に係合する装着筒部２１ａと、装着筒部２１ａの上方に連なり、上側部材２２の側周壁２２ａが嵌合する嵌合筒部２１ｂと、装着筒部２１ａの上部内周面から径方向内側に延びて口部１１の開口を覆う隔壁２１ｃと、隔壁２１ｃの中央に設けられた連通孔２１ｄと、隔壁２１ｃから垂下するシール筒部２１ｅとを有する。シール筒部２１ｅの外周面は、口部１１の内周面（内層体１０ｂの内周面）に液密に当接する。
【００３０】
また、隔壁２１ｃには、中間部材２３の係合爪部２３ｅが差し込まれる係合孔２１ｆと、逆止弁２４の基部２４ａが差し込まれる環状溝２１ｇとが形成されている。なお、係合孔２１ｆは空気の流路も兼ねている。装着筒部２１ａの内周面には、口部１１の係合凸部１４にアンダーカット係合する係合凹部２１ｈが形成されており、これにより、下側部材２１が口部１１に係合保持される。
【００３１】
上側部材２２は、図１、２に示すように、嵌合筒部２１ｂの径方向内側に配置され、嵌合筒部２１ｂに嵌合する側周壁２２ａと、側周壁２２ａの上端部から上方に向けて径方向内側に傾斜する傾斜筒部２２ｂと、傾斜筒部２２ｂの上端に設けられ注出口Ａを構成するリップ部２２ｃとを有する。また、上側部材２２は、側周壁２２ａにヒンジ２２ｄを介して連結された蓋部２２ｅを備える。蓋部２２ｅは、筒状の蓋部周壁２２ｆと、蓋部周壁２２ｆの上端を覆う蓋部天壁２２ｇと、蓋部天壁２２ｇから垂下する外筒部２２ｈと、外筒部２２ｈの径方向内側で蓋部天壁２２ｇから垂下する内筒部２２ｉとを有する。蓋部周壁２２ｆには、ヒンジ２２ｄの逆側（前方側）において径方向外側に突出して、蓋部２２ｅを開放する際に指掛かりとなる指掛け部２２ｊが設けられている。側周壁２２ａが嵌合筒部２１ｂに嵌合することにより、上側部材２２は、下側部材２１に係合保持される。
【００３２】
リップ部２２ｃは、径方向外側に向けて延在し、先細り状に形成されている。リップ部２２ｃは、先端に向けて湾曲した形状となっている。なお、リップ部２２ｃは、少なくとも注出口Ａにおける注出方向側（前方側）に設けられていればよい。また、リップ部２２ｃは、後方側（ヒンジ２２ｄが設けられた側）よりも前方側の高さが高くなっている。より詳細には、図１に示すように、リップ部２２ｃは、前後方向の後端部から中央部までは同一高さとなるように平坦に形成されており、中央部よりも前方側の領域のみ上方に突出して高さが高くなるように形成されている。
【００３３】
図１に示す蓋部２２ｅの閉塞状態において、外筒部２２ｈは、リップ部２２ｃの内周面に液密に当接して注出口Ａを閉塞し、内筒部２２ｉは、中間部材２３の導入筒部２３ｂの外周面に液密に当接して、後述する前方開口２３ｉ及び後方開口２３ｊを閉塞する。
【００３４】
なお、側周壁２２ａには、嵌合筒部２１ｂの上端面に係合するフランジ部２２ｎが設けられている。また、嵌合筒部２１ｂには、周方向の一部（本例では後方側の一部）に位置決め部凸２１ｉが設けられており、側周壁２２ａに設けられた位置決め凹部２２ｐに入り込むように構成されている。これにより、下側部材２１に対する上側部材２２の周方向の位置決めが可能となり、下側部材２１に対する上側部材２２の回動が抑制される。
【００３５】
中間部材２３は、図１、３に示すように、計量室Ｍの底面を形成する底部２３ａと、底部２３ａの中央に立設された略円筒状の導入筒部２３ｂと、導入筒部２３ｂの上端に設けられた板状の飛散抑制部２３ｃと、底部２３ａの外周縁部に立設された周壁部２３ｄとを有する。周壁部２３ｄの外周面は、側周壁２２ａの内周面に液密に当接している。また、底部２３ａの下部外周面２３ｋが、嵌合筒部２１ｂの内周面に液密に当接している。本例において計量室Ｍは、計量周壁を構成する側周壁２２ａ、傾斜筒部２２ｂ、及び周壁部２３ｄと、底部２３ａとで区画形成される。
【００３６】
また、中間部材２３は、底部２３ａから下方に突出し、係合孔２１ｆに差し込まれる係合爪部２３ｅと、底部２３ａの下面に設けられた吸気路形成凹部２３ｆと、底部２３ａの外周面に開口し、吸気路形成凹部２３ｆに連通する横孔２３ｇとを有する。当該吸気路形成凹部２３ｆ及び横孔２３ｇが、中間部材２３の吸気孔を構成している。また、底部２３ａの下面には、逆止弁２４の基部２４ａが差し込まれる環状溝２３ｈが形成されている。係合爪部２３ｅ及び係合孔２１ｆは、周方向に間隔を空けて複数箇所（本例ではそれぞれ４箇所）に設けられている。係合爪部２３ｅが係合孔２１ｆに係合することにより、中間部材２３が下側部材２１に対して抜け止め保持される。
【００３７】
ここで、嵌合筒部２１ｂと側周壁２２ａとの間には、外部と中間部材２３の横孔２３ｇとを連通させる空気流路Ｆが形成されている。当該空気流路Ｆは、嵌合筒部２１ｂの内周面及び側周壁２２ａの外周面の少なくとも何れか一方に溝を設けること等により形成することができる。本例において、空気流路Ｆは、ヒンジ２２ｄが設けられた側（計量キャップ２０における後方側）に形成されているが、これに限られず、適宜変更可能である。
【００３８】
導入筒部２３ｂの側面には、前方開口２３ｉ及び後方開口２３ｊが形成されている。前方開口２３ｉは、ヒンジ２２ｄと逆側（前方側）に位置し、後方開口２３ｊはヒンジ２２ｄ側（後方側）に位置する。また、前方開口２３ｉは、導入筒部２３ｂの上端、すなわち、飛散抑制部２３ｃまで延在している。
【００３９】
逆止弁２４は、円筒状の基部２４ａと、基部２４ａの内側に設けられた第１逆止弁部２４ｂと、基部２４ａの外側に設けられた第２逆止弁部２４ｃとを有する。
【００４０】
基部２４ａは、上端部が中間部材２３環状溝２３ｈに差し込まれ、下端部が下側部材２１の環状溝２１ｇに差し込まれた状態で保持される。すなわち、基部２４ａは、連通孔２１ｄおよび導入筒部２３ｂの下端部の周囲を取り囲むように配置される。これにより、基部２４ａの内側には、内容液の流路が形成され、基部２４ａの外側には、外気を導入する際の空気の流路が形成される。
【００４１】
第１逆止弁部２４ｂは、円板状の弁体の外周縁の３箇所を基部２４ａの内周縁に連結する連結片によって支持された、いわゆる三点弁である。第１逆止弁部２４ｂは、底部２３ａと隔壁２１ｃの間に配置され、連通孔２１ｄから導入筒部２３ｂへの内容液の流路を開閉する。すなわち、第１逆止弁部２４ｂは、収容空間Ｓから連通孔２１ｄを通して導入筒部２３ｂへと向かう内容液の移動を許容し、逆方向の内容液及び空気の移動を阻止するように構成されている。
【００４２】
第２逆止弁部２４ｃは、基部２４ａの外周面から径方向外側に延びる環状片で構成され、その外縁が吸気路形成凹部２３ｆの径方向外側で、中間部材２３の底部２３ａの下面に弾性当接している。第２逆止弁部２４ｃは、底部２３ａと隔壁２１ｃの間に配置され、吸気孔（吸気路形成凹部２３ｆ及び横孔２３ｇ）から外気導入孔１３への空気の流路を開閉する。すなわち、第２逆止弁部２４ｃは、横孔２３ｇから吸気路形成凹部２３ｆを通して、外気導入孔１３、及び外層体１０ａと内層体１０ｂの間の空間へと向かう空気の移動を許容し、逆方向、すなわち外気導入孔１３側から吸気路形成凹部２３ｆ及び横孔２３ｇ側へ向かう空気の移動を阻止するように構成されている。
【００４３】
ここで、本例の上側部材２２は、透明または半透明であり、計量室Ｍに収容された内容液の液面が視認できるように構成されている。なお、本例では上側部材２２全体が透明な材料で構成されているが、これに限られず、計量室Ｍに収容された内容液の液面が視認できるように、計量室Ｍの側周壁２２ａの少なくとも一部が透明または半透明に構成されていればよい。また、本例の容器１では、図５に示す容器２に比べて側周壁２２ａの厚みを薄く形成しており、これにより、計量室Ｍに収容された内容液の液面がより視認し易くなっている。
【００４４】
容器１の収容空間Ｓに収容された内容液を計量して注出する方法としては、先ず、図１に示す状態からヒンジ２２ｄを支点に蓋部２２ｅを開いて注出口Ａを開放する。そして、容器１の起立姿勢で胴部１２をスクイズすると、収容空間Ｓ内の内容液の一部が押し出されて、計量室Ｍに移動する。具体的に、胴部１２をスクイズすると収容空間Ｓが減容変形して内容液が第１逆止弁部２４ｂを押し上げながら連通孔２１ｄを通過し、導入筒部２３ｂの内部を通り、前方開口２３ｉ及び後方開口２３ｊを通って計量室Ｍ内に移動する。この時、胴部１２を大きな押圧力でスクイズしたとしても、導入筒部２３ｂの上端に設けられた飛散抑制部２３ｃによって内容液の注出口Ａ側への飛散が抑制されるため、内容液はスムーズに計量室Ｍに移動する。また、上側部材２２が透明であるため、計量室Ｍに収容された内容液の液面を外部から視認することができる。すなわち、計量室Ｍ内の内容液の液面を確認しながら胴部１２のスクイズ量を調整することで、所望の量の内容液のみを計量室Ｍに導入することができる。そして、容器１を前方に傾けることで、計量室Ｍに導入された内容液を注出口Ａの前方部分から注出することができる。容器１を前方に傾けた際、導入筒部２３ｂの前方側に前方開口２３ｉが設けられているため、導入筒部２３ｂの内部の内容液は残留せずに計量室Ｍ及び注出口Ａを通して外部にスムーズに移動する。また、胴部１２へのスクイズを解除すると、内層体１０ｂは減容変形したままで、外層体１０ａの形状のみが復元し、外層体１０ａと内層体１０ｂとの間に外気が導入される。その際、第２逆止弁部２４ｃが開き、空気流路Ｆから導入された空気が、横孔２３ｇ、吸気路形成凹部２３ｆ、係合孔２１ｆ、外気導入孔１３を通り、外層体１０ａと内層体１０ｂとの間に導入される。
【００４５】
以上の通り、本発明によれば、容器本体１０の胴部１２をスクイズした際の内容液の飛散を防止することができるとともに、内容液を注出した際に内容液が計量キャップ２０内に残留し難いスクイズ計量容器１を提供することができる。
【００４６】
また、本実施形態の容器１にあっては、前方開口２３ｉが、導入筒部２３ｂの上端まで延在していることにより、より内容液が導入筒部２３ｂ内に残留し難くなっている。
【００４７】
また、本実施形態の容器１にあっては、側周壁２２ａに、計量室Ｍに収容された内容液の量（体積）を示す目盛が設けられており、これにより、計量室Ｍ内の内容液の計量が容易となる。また、計量室Ｍ内の内容液の視認性を高めるため、側周壁２２ａの肉厚は一定であることが好ましい。同様に計量室Ｍ内の内容液の視認性を高める観点から、側周壁２２ａにおいて計量範囲となる部分は、屈曲部を設けずに軸方向に直線的に延在する筒形状であることが好ましい。
【００４８】
また、本実施形態の容器１にあっては、少なくとも前方側に、径方向外側に向けて延在する先細り状のリップ部２２ｃが設けられていることで、注出口Ａから内容液を注出する際の液切れが良好となる。
【００４９】
また、本例では、後方側よりも前方側のリップ部２２ｃの高さが高くなっているため、使用者は注出方向を理解し易い。さらに、本例では、前後方向の後端部から中央部まではリップ部２２ｃが同一高さとなるように平坦に形成されており、中央部よりも前方側の領域のみ、高さが高くなるように形成されているため、前方側のリップ部２２ｃの視認性が高くなる。その結果、注出方向の理解がさらに容易となる。
【００５０】
また、本実施形態の容器１にあっては、容器本体１０が二重構造であり、収容空間Ｓに外気が進入しない構造となっているため、内容液の酸化による劣化を防止することができる。そのため、例えば、酸化により劣化し易い食用油等の内容液に対して有効である。
【００５１】
また、本実施形態の容器１にあっては、第１逆止弁部２４ｂで内容液の逆流を抑制しているため、収容空間Ｓ内の内容液を常に清潔に保つことができる。
【００５２】
また、本実施形態の容器１にあっては、蓋部２２ｅの外筒部２２ｈで注出口Ａを閉塞することにより、流通時など、蓋部２２ｅの閉塞状態での気密性を確保している。さらに、蓋部２２ｅの内筒部２２ｉで前方開口２３ｉ及び後方開口２３ｊを閉塞することにより、気密性をより高めている。
【００５３】
また、本実施形態の容器１にあっては、図１に示す導入筒部２３ｂの内径Ｄと第１逆止弁部２４ｂから導入筒部２３ｂの上端までの高さＨとの比率（内径Ｄ／高さＨ）が０．２以上、０．５以下であることが好ましい。このような構成とすることにより、内容液が導入筒部２３ｂ内にさらに残留し難くなる。
【００５４】
また、本実施形態の容器１にあっては、前方開口２３ｉの開口幅Ｗ（図４参照）と導入筒部２３ｂの内径Ｄとの比率（開口幅Ｗ／内径Ｄ）が、０．４以上、０．８以下であることが好ましい。このような構成とすることにより、内容液が導入筒部２３ｂ内にさらに残留し難くなる。なお、導入筒部２３ｂの内径Ｄおよび前方開口２３ｉの開口幅Ｗは、前方開口２３ｉの下端部での値としている。
【００５５】
また、本実施形態の容器１にあっては、ヒンジ２２ｄの逆側に、径方向外側に向けて延在する先細り状のリップ部２２ｃが設けられており、リップ部２２ｃが計量室Ｍの上端（傾斜筒部２２ｂの上端）よりも高い位置に設けられている。すなわち、計量室Ｍの上端よりも高い位置に注ぎ口となるリップ部２２ｃを設けており、且つ、リップ部２２ｃと前方開口２３ｉが同一方向（注出方向）を向くように配置したことにより、内容液が導入筒部２３ｂからスムーズに計量室Ｍに移動し、さらに前方側のリップ部２２ｃを通ってスムーズに外部に注出される。これにより、導入筒部２３ｂ内および計量室Ｍ内に内容液がさらに残留し難くなる。
【００５６】
図５は、本発明の他の実施形態に係るスクイズ計量容器２を示している。なお、上述した実施形態と基本的な機能が同一である部分は、図中、同一の符号を付している。図５に示すように、容器２の注出口Ａを形成するリップ部２２ｃは、前後方向の後端部から前端部まで一定の角度で軸線Ｏに対して傾斜しており、徐々に高さが高くなるように形成されている。
【００５７】
本実施形態の容器２においても、導入筒部２３ｂの上端に設けられた飛散抑制部２３ｃによって内容液の注出口Ａ側への飛散が抑制される。また、容器２を前方に傾けた際、導入筒部２３ｂの前方側に前方開口２３ｉが設けられているため、導入筒部２３ｂの内部の内容液は残留せずに計量室Ｍ及び注出口Ａを通して外部にスムーズに移動する。これにより、本実施形態の容器２においても、容器本体１０の胴部１２をスクイズした際の内容液の飛散を防止することができるとともに、内容液を注出した際に内容液が計量キャップ２０内に残留し難い、との効果を得ることができる。
【００５８】
図６、７は、本発明のさらに他の実施形態に係るスクイズ計量容器３を示している。なお、上述した実施形態と基本的な機能が同一である部分は、図中、同一の符号を付している。先の図１〜５に示す実施形態では、蓋部２２ｅが、計量周壁を構成する側周壁２２ａと一体に設けられていたが、本実施形態では、蓋部２２ｅが、装着筒部２１ａの上方に連なり計量周壁の外周側に位置する嵌合筒部２１ｂに一体連結されている。また、蓋部２２ｅ及び嵌合筒部２１ｂは、不透明であり、計量周壁における透明または半透明な部分を外側から覆うように構成されている。
【００５９】
図６に示すように、容器３は、蓋部２２ｅがヒンジ２２ｄを介して嵌合筒部２１ｂに連結されたキャップ本体２５と、キャップ本体２５の内側に保持された計量部材２６と、中間部材２３と、逆止弁２４とで構成されている。
【００６０】
計量部材２６は、嵌合筒部２１ｂの径方向内側に配置され、嵌合筒部２１ｂに嵌合する側周壁２２ａと、側周壁２２ａの上端部から上方に向けて径方向内側に傾斜する傾斜筒部２２ｂと、傾斜筒部２２ｂの上端に設けられ注出口Ａを構成するリップ部２２ｃとを有する。
【００６１】
また、図７にも示すように、蓋部２２ｅには、蓋部周壁２２ｆから下方に延びる遮蔽壁２２ｓが設けられている。遮蔽壁２２ｓは、ヒンジ２２ｄ及び指掛け部２２ｊよりも下側に延在している。また、遮蔽壁２２ｓは、蓋部２２ｅの閉塞状態において、嵌合筒部２１ｂと部分的に重なるように構成されている。より詳細には、図６に示すように、計量キャップ２０の前方側において、遮蔽壁２２ｓの下端部が、嵌合筒部２１ｂの径方向外側に重なるように配置される。なお、嵌合筒部２１ｂは、遮蔽壁２２ｓが重なる嵌合筒部２１ｂの上端部が薄肉となるように形成されている。
【００６２】
容器３においては、不透明な材料で形成された蓋部２２ｅ及び嵌合筒部２１ｂが、計量室Ｍを区画形成する側周壁２２ａ、傾斜筒部２２ｂ、周壁部２３ｄ、及び底部２３ａを外側から完全に覆っている。これにより、計量周壁に設けられた透明または半透明な部分が、不透明な蓋部２２ｅ等で確実に覆われることとなる。
【００６３】
このように、本実施形態では、不透明な蓋部２２ｅ及び嵌合筒部２１ｂが、計量周壁（側周壁２２ａ、傾斜筒部２２ｂ）における透明または半透明な部分を外側から覆っている。このような構成により、計量室Ｍを蓋部２２ｅ及び嵌合筒部２１ｂで遮光することができるので、例えば計量室Ｍに残留した内容液が外部からの光によって酸化して品質が劣化すること等を抑制することができる。
【００６４】
また、本実施形態では、蓋部２２ｅの閉塞状態において、蓋部２２ｅ（遮蔽壁２２ｓ）と嵌合筒部２１ｂとが部分的に重なる構成としたことにより、蓋部２２ｅと嵌合筒部２１ｂとの間に光の通る隙間が形成され難くなる。これにより、蓋部２２ｅによる計量室Ｍの遮光性能を高めることができる。
【００６５】
本実施形態の容器３においても、導入筒部２３ｂの上端に設けられた飛散抑制部２３ｃによって内容液の注出口Ａ側への飛散が抑制される。また、容器３を前方に傾けた際、導入筒部２３ｂの前方側に前方開口２３ｉが設けられているため、導入筒部２３ｂの内部の内容液は残留せずに計量室Ｍ及び注出口Ａを通して外部にスムーズに移動する。これにより、本実施形態の容器３においても、容器本体１０の胴部１２をスクイズした際の内容液の飛散を防止することができるとともに、内容液を注出した際に内容液が計量キャップ２０内に残留し難い、との効果を得ることができる。
【００６６】
前述したところは、本発明の一実施形態を示したにすぎず、特許請求の範囲において、種々の変更を加えることができる。例えば、先の実施形態では、装着筒部２１ａが口部１１にアンダーカット係合する構成としたが、ねじ結合する構成としてもよい。また、図１〜５の実施形態では、計量キャップ２０が、下側部材２１、上側部材２２、中間部材２３、及び逆止弁２４の４つの部材で構成されており、図６、７に示す実施形態では、キャップ本体２５、計量部材２６、中間部材２３、及び逆止弁２４の４つの部材で構成されているが、これに限られず、何れかの部材を２つの部材に分割してもよいし、何れか２つの部材を一体化してもよい。
【符号の説明】
【００６７】
１、２、３：スクイズ計量容器（容器）
１０：容器本体
１０ａ：外層体
１０ｂ：内層体
１１：口部
１２：胴部
１３：外気導入孔
１４：係合凸部
２０：計量キャップ
２１：下側部材
２１ａ：装着筒部
２１ｂ：嵌合筒部
２１ｃ：隔壁
２１ｄ：連通孔
２１ｅ：シール筒部
２１ｆ：係合孔
２１ｇ：環状溝
２１ｈ：係合凹部
２１ｉ：位置決め凸部
２２：上側部材
２２ａ：側周壁（計量周壁）
２２ｂ：傾斜筒部（計量周壁）
２２ｃ：リップ部
２２ｄ：ヒンジ
２２ｅ：蓋部
２２ｆ：蓋部周壁
２２ｇ：蓋部天壁
２２ｈ：外筒部
２２ｉ：内筒部
２２ｊ：指掛け部
２２ｎ：フランジ部
２２ｐ：位置決め凹部
２２ｓ：遮蔽壁
２３：中間部材
２３ａ：底部
２３ｂ：導入筒部
２３ｃ：飛散抑制部
２３ｄ：周壁部（計量周壁）
２３ｅ：係合爪部
２３ｆ：吸気路形成凹部（吸気孔）
２３ｇ：横孔（吸気孔）
２３ｈ：環状溝
２３ｉ：前方開口
２３ｊ：後方開口
２３ｋ：下部外周面
２４：逆止弁
２４ａ：基部
２４ｂ：第１逆止弁部
２４ｃ：第２逆止弁部
２５：キャップ本体
２６：計量部材
Ａ：注出口
Ｆ：空気流路
Ｍ：計量室
Ｓ：収容空間
【図１】
2020147370.tif 000003
【図２】
2020147370.tif 000004
【図３】
2020147370.tif 000005
【図４】
2020147370.tif 000006
【図５】
2020147370.tif 000007
【図６】
2020147370.tif 000008
【図７】
2020147370.tif 000009